(57)【特許請求の範囲】
【請求項１】
就寝室で睡眠している使用者から発生する生体情報を検知する生体情報検知手段と、
前記生体情報検知手段で検知された前記生体情報に基づいて使用者の睡眠からの覚醒を検知する生体覚醒判定手段と、
睡眠している前記就寝室の温度を検知する就寝室温度検知手段と、
前記使用者が睡眠している前記就寝室に対して別室となるトイレの温度を検知するトイレ温度検知手段と、
前記トイレを空調するトイレ空調機と、
前記生体覚醒判定手段により前記使用者の覚醒が判定され、且つ、前記トイレの温度とトイレの所定温度とのずれが大きいとき、前記トイレ空調手段を作動させて前記ずれを小さくさせる方向に前記トイレを空調させるトイレ空調手段と、
外気温度を検知する室外温度検知センサと、
前記就寝室の温度を調整する就寝室空調機と、
前記生体情報検知手段により検知された前記生体情報に基づき前記使用者が睡眠状態に移行したことが判定された場合において、前記室外温度検知センサにより検知された外気温度が高いときには、前記就寝室空調機の設定温度を高めに設定し、前記室外温度検知センサにより検知された外気温度が低いときには、前記就寝室空調機の設定温度を低めに設定する温度設定手段と、
を具備することを特徴とする室内空調システム。
【請求項２】
請求項１において、前記生体情報検知手段は、睡眠している前記使用者から発生する呼吸、心拍、体重、体動のうちの少なくとも一つを前記生体情報として検知することを特徴とする室内空調システム。
【請求項３】
請求項１または２において、前記就寝室温度検知手段は、睡眠している前記使用者の顔付近の温度を前記就寝室の温度として検知することを特徴とする室内空調システム。
【請求項４】
請求項１〜３のうちの一項において、前記使用者が睡眠している寝床の温度を検知する寝床温度検知手段を具備していることを特徴とする室内空調システム。
【請求項５】
請求項１〜４のうちの一項において、前記使用者が睡眠している前記就寝室の温度を調整する就寝室空調機と、前記使用者の睡眠状態に合わせて前記就寝室空調機を作動させて前記就寝室の温度を調整する就寝室空調手段とを具備することを特徴とする室内空調システム。
【請求項６】
請求項５において、前記就寝室空調手段は、前記使用者が覚醒状態から睡眠状態に移行すると、睡眠直前に比較して前記就寝室空調機により前記就寝室の温度を低下させる制御を実行することを特徴とする室内空調システム。
【請求項７】
請求項５または６において、前記就寝室空調手段は、前記使用者が睡眠状態から覚醒すると、覚醒直前に比較して、前記就寝室空調機により前記就寝室の温度を高める制御を実行することを特徴とする室内空調システム。
【請求項８】
請求項５または６において、前記就寝室空調手段は、前記使用者が睡眠状態から覚醒に近づくと、覚醒に近づく前の睡眠状態に比較して、前記就寝室空調機により前記就寝室の温度を高める制御を実行することを特徴とする室内空調システム。
【請求項９】
請求項１において、前記就寝室には就寝室照明手段および就寝室照度検知手段が設けられており、前記トイレにはトイレ照明手段およびトイレ照度検知手段が設けられており、
前記使用者の覚醒が判定されて前記就寝室照明手段が点灯され、且つ、前記使用者が前記トイレに赴く場合、前記就寝室照度検知手段および前記トイレ照度検知手段からの情報に依拠して、前記トイレ照明手段の照度を前記就寝室照明手段の照度と異ならせることを特徴とする室内空調システム。
【請求項１０】
請求項９において、前記トイレの照度を前記就寝室の照度に比べて低くすることを特徴とする室内空調システム。
【請求項１１】
請求項１０において、前記使用者が前記トイレから台所に赴く場合には、前記台所の照度を前記トイレよりも高くするように制御することを特徴とする室内空調システム。
【発明の詳細な説明】
【技術分野】
【０００１】
本発明は就寝室で睡眠している使用者から発生する生体情報を検知する生体情報検知手段を有する室内空調システムに関する。
【背景技術】
【０００２】
この種の室内空調システムとして、人の発汗量や体温等の生理状態を検出するセンサと、検出結果に基づいて推定した睡眠サイクル等の生理情報を表示したり、室内環境が在室中の人に適しているか否かを表示する表示部とを有する空気調和装置が知られている（特許文献１）。
【特許文献１】特開２００１−７４２９２号公報
【発明の開示】
【発明が解決しようとする課題】
【０００３】
ところで、睡眠状態の使用者が覚醒してトイレ、台所、リビングルーム等の別室に移動することがある。この場合、別室の室内環境（温度）は、睡眠状態から覚醒した使用者にとって必ずしも良好ではないことがある。この場合、使用者が高齢者等である場合には、あまり好ましくない。
【０００４】
本発明は上記した実情に鑑みてなされたものであり、使用者が睡眠状態から覚醒してトイレ、台所、リビングルーム等の別室に移動するときであっても、使用者にとって別室の環境を良好に維持するのに有利な室内空調システムを提供することを課題とする。
【課題を解決するための手段】
【０００５】
様相１の本発明に係る室内空調システムは、睡眠している使用者から発生する生体情報を検知する生体情報検知手段と、生体情報検知手段で検知された生体情報に基づいて使用者の睡眠からの覚醒を検知する生体覚醒判定手段と、睡眠している就寝室の温度を検知する就寝室温度検知手段と、使用者が睡眠している就寝室に対して別室の温度を検知する別室温度検知手段と、別室を空調する別室空調機と、生体覚醒判定手段により使用者の覚醒が判定され、且つ、別室の温度と所定温度とのずれが大きいとき、別室空調機を作動させてずれを小さくさせる方向に別室を空調させる別室空調手段とを具備することを特徴とする。
【０００６】
生体覚醒判定手段により使用者の覚醒が判定され、且つ、別室の温度と所定温度とのずれが大きいとき、別室空調手段は、別室空調機を作動させてずれを小さくさせる方向に別室を空調させる。これにより覚醒した生体が別室に移動したとしても、生体にとって快適な環境が確保される。所定温度は固定的な温度としても良いし、あるいは、季節、地域、使用者の好み等に応じて可変に設定しても良い。別室空調機は暖房および冷房できるものが好ましい。
【０００７】
本発明に係る室内空調システムとしては、好ましくは、次の態様が採用できる。
【０００８】
・生体情報検知手段は、睡眠している使用者から発生する呼吸、心拍、体重、体動のうちの少なくとも一つを生体情報として検知することが好ましい。心拍数の場合には、単位時間あたりの心拍数の変化率が高いときには、睡眠状態が浅く、覚醒に近づいており、単位時間あたりの心拍数の変化率が低いときには、睡眠状態が深いと判定できる。体動の場合には、単位時間あたりの体動の回数が多いときには、睡眠状態が浅く、覚醒に近づいており、単位時間あたりの体動の回数が少ないときには、睡眠状態が深いと判定できる。生体情報検知手段は、ベッド、ベッドに敷かれるマットレス、寝具等に設置することができる。
【０００９】
・就寝室温度検知手段は、睡眠している就寝室の温度を検知する。この場合、就寝室において睡眠している使用者の顔付近（頭部付近）の温度を検知する方式が好ましい。使用者の顔付近（頭部付近）の温度は、使用者の睡眠状態に影響を与え易い。具体的には、使用者の顔付近（頭部付近）の温度が高いときには、生体は寝苦しいため、使用者の睡眠状態は浅くなり易い。使用者の睡眠状態を深くさせるためには、一般的には、使用者の顔付近（頭部付近）の温度が低く、寝床が暖かいことが好ましい。
【００１０】
・使用者が睡眠している寝床の温度を検知する寝床温度検知手段が設けられていることが好ましい。寝床の温度は使用者の睡眠状態に影響を与える。特に、冬季では、寝床の温度は暖かいことが好ましい。
【００１１】
・使用者が睡眠している就寝室の温度を調整する就寝室空調機と、使用者の睡眠状態に合わせて就寝室空調機を作動させて就寝室の温度を調整する就寝室空調手段とが設けられていることが好ましい。就寝室空調機は暖房および／または冷房できるものが好ましい。
【００１２】
・就寝室空調手段は、使用者が睡眠状態に移行すると、睡眠直前に比較して就寝室の温度を低下させる制御を実行することが好ましい。これにより睡眠状態の深さを維持し易い。季節にもよるが、一般的には、使用者が睡眠状態に移行すると、睡眠直前に比較して就寝室の温度を例えば２〜１０℃の範囲内の任意値で低下させることができる。但しこれに限定されない。
【００１３】
・就寝室空調手段は、使用者が睡眠から覚醒すると、覚醒直前に比較して就寝室の温度を高める制御を実行する。あるいは、就寝室空調手段は、使用者が睡眠状態から覚醒直前の状態になると、覚醒直前の睡眠状態に比較して就寝室の温度を高める制御を実行することが好ましい。但し、真夏等のような夏季モードでは、就寝室空調手段は、使用者が睡眠から覚醒すると、覚醒直前に比較して就寝室の温度を低下させる制御を実行することができる。あるいは、真夏等のような夏季モードでは、就寝室空調手段は、使用者が睡眠状態から覚醒に近づいた状態になると、覚醒に近づく前の睡眠状態に比較して、就寝室の温度を低下させる制御を実行する。別室空調機は、別室を空調するものであり、暖房および／または冷房できるものが好ましい。
【００１４】
・好ましくは、就寝室には就寝室照明手段および就寝室照度検知手段が設けられており、別室には別室照明手段および別室照度検知手段が設けられている。好ましくは、使用者の覚醒が判定されて就寝室照明手段が点灯され、且つ、使用者が別室に赴く場合、就寝室照度検知手段および別室照度検知手段からの情報に依拠して、別室照明手段の照度を就寝室照明手段の照度と異ならせる。
【００１５】
・好ましくは、別室はトイレであり、別室の照度を就寝室の照度に比べて薄くする。使用者がトイレから台所に赴く場合には、台所の照度をトイレの照度よりも明るく制御することが好ましい。
【００１６】
・様相２の本発明に係る室内空調システムは、就寝室で睡眠している使用者から発生する生体情報を検知する生体情報検知手段と、生体情報検知手段で検知された生体情報に基づいて使用者の睡眠からの覚醒を検知する生体覚醒判定手段と、 使用者が睡眠している就寝室の環境状態を検知する就寝室環境状態検知手段と、使用者が睡眠している就寝室に対して別室の環境状態を検知する別室環境状態検知手段と、別室を環境状態を調整する別室環境調整手段と、生体覚醒判定手段により使用者の覚醒が判定され、且つ、別室の環境状態が所定状態と乖離しているとき、別室環境調整手段を作動させる別室環境制御手段とを具備することを特徴とする。環境状態としては、温度、湿度、照明のうちの少なくとも一つが例示される。好ましくは、別室環境調整手段は空調機である。好ましくは、別室環境調整手段は照明装置である。
【発明の効果】
【００１７】
本発明に係る室内空調システムによれば、使用者が睡眠状態から覚醒してトイレ、台所等の別室に移動するときであっても、使用者にとって良好な環境が別室において確保される。従って使用者に不快感を与えることが抑制される。更に高齢者等にとっても、健康上好ましい。
【発明を実施するための最良の形態】
【００１８】
（実施形態１）
図１は実施形態１の概念を示す。室内空調システムは、睡眠している使用者から発生する生体情報を検知するための生体情報検知手段としての生体情報検知センサ１と、睡眠している就寝室２の温度を検知するための就寝室温度検知手段として機能する就寝室温度検知センサ３と、使用者が睡眠している就寝室２に対して別室６の温度を検知するための別室温度検知センサ４と、使用者が睡眠している就寝室２を空調するための就寝室空調機５と、別室６を空調するための別室空調機７とを有する。就寝室温度検知センサ３は、就寝室２の温度、殊に、就寝室２において睡眠している使用者の顔付近の温度を検知するほかに、睡眠している使用者の顔付近の湿度も検知する。従って就寝室温度検知センサ３は、使用者の顔周辺用の温度および湿度検知用のセンサとして機能できる。就寝室温度検知センサ３は、ベッド９のマットレス１０に横たわる使用者の顔面側の温度および湿度を検知するように、ベッド９のヘッドボード１１側に取り付けられている。就寝室温度検知センサ３は、主に夏季モードにおいて、使用者の寝苦しさの有無を検知することができる。即ち、室内温度および室内湿度が高ければ、使用者は寝苦しさを感じる。
【００１９】
就寝室２は、使用者が日常的に就寝する部屋を意味する。別室６は、就寝室２において就寝していた使用者が覚醒して別の場所に移動する主な場所である。覚醒時に空調される別室６としては、トイレ、台所、リビングルーム、勉強部屋等が例示され、予め使用者が任意に選択して設定される。就寝室２に装備されている就寝室空調機５は、暖房機能および冷房機能を有するエアコンである。別室６に装備されている別室空調機７は、暖房機能および冷房機能を有するエアコンである。
【００２０】
生体情報検知センサ１は、睡眠している使用者から発生する呼吸、心拍、体動といった振動または圧力を生体情報として検知する。呼吸、心拍、体動といった振動または圧力の周波数はそれぞれかなり相違するため、それぞれ識別可能である。ここで、心拍数の場合には、単位時間あたりの心拍数の変化率が高いときには、睡眠状態が浅く、覚醒に近づいており、単位時間あたりの心拍数の変化率が低いときには、睡眠状態が深いと判定できる。体動の場合には、単位時間あたりの体動の回数が多いときには、睡眠状態が浅く、覚醒に近づいており、単位時間あたりの体動の回数が少ないときには、睡眠状態が深いと判定できる。
【００２１】
生体情報検知センサ１は圧電フィルムを母材として形成されており、振動または圧力を電気信号に変換する。生体情報検知センサ１は、ベッド９に敷設されているマットレス１０の内部、マットレス１０の上面側または下面側に設けることができる。例えば、図２に示すように、マットレス１０は、ベース１２と、ベース１２に設けられ軸線が上下方向に延びる複数の柱状体１３とをもつ。生体情報検知センサ１の信号は制御部２０に入力される。
【００２２】
制御部２０は、時計機能をもつＣＰＵと、入力処理回路と、出力処理回路と、画面表示部と、生体情報検知センサ１の信号（心拍）を波形処理する波形処理部とをもつ。
【００２３】
制御部２０は、生体情報検知センサ１で検知した信号に基づいて使用者の睡眠状態を判定する。制御部２０は、生体情報検知センサ１で検知した呼吸、心拍、体重、体動といった振動または圧力の信号に基づいて、使用者が覚醒（目覚め）しているか否かを判定する。そして、使用者が覚醒しており、且つ、別室６の温度と別室６の所定温度とのずれが大きいとき、制御部２０は、ずれを小さくさせる方向に別室空調機７を作動させて別室６を空調させる。例えば、冬季等では別室６の温度が第１所定温度よりも低いときには、制御部２０は別室空調機７を作動させて別室６の温度を上昇させる。従って、別室６としてのトイレの空間を暖めておけば、覚醒した使用者がトイレに行くのに適する。また、別室６としての台所の空間を暖めておけば、睡眠状態から覚醒した主婦等の使用者が台所で水を飲んだり、食事等の準備したりするのに適する。また夏季モード等のように、別室６の温度が第２所定温度よりも高いときには、制御部２０は別室空調機７を作動させて別室６の温度を低下させることが好ましい。
【００２４】
寝床温度検知センサ２５は、使用者が睡眠している寝床の温度を検知するものであり、ベッド９に敷設されているマットレス１０の内部またはマットレス１０の上面側に設けられている。但し、寝床温度検知センサ２５は、マットレス１０の下面側に設けられていても良い。寝床温度検知センサ２５は、使用者が睡眠している寝床の温度の他に寝床の湿度を検知することもでき、従って、寝床温度および寝床湿度を検知する検知センサとして機能することができる。寝床温度検知センサ２５は、特に冬季モードにおいて、生体が就寝し易いか否かの温度を検知するものである。なお、寝床温度が過剰に低いときには、就寝室空調機５の作動により、就寝室２の温度を上昇させることが好ましい。就寝室２の空気は寝床の温度に影響を与えるので、寝床の温度を暖めることができる。
【００２５】
制御部２０は、使用者の睡眠状態に合わせて、就寝室空調機５を作動させて就寝室２の温度および湿度を調整する。特に、就寝室２の温度を調整することが好ましい。このため就寝室２における使用者の睡眠状態は、良好に確保される。図３は就寝室空調機５により制御される就寝室２の温度の制御状態の一例を示す。図３の特性線ＷＡに示すように、使用者が睡眠状態に移行したことが生体情報検知センサ１により検知されると、制御部２０は、睡眠直前の時間帯ｔｗに比較して、時間経過につれて就寝室２の温度を次第に低下させるように、就寝室空調機５の作動を制御する。これにより使用者の睡眠状態を良好に維持するのに有利となる。但し、冬季モードでは、第３所定温度（例えば５〜２０℃の範囲内の任意値）以上の温度を維持するように制御する。
【００２６】
良好な覚醒のためには、一般的（酷暑時を除いて）には、就寝室２の温度を高めることが好ましいことが本発明者の試験により知見されている。そこで制御部２０は、使用者が睡眠状態から覚醒したことが生体情報検知センサ１により検知されると、覚醒直前（例えば覚醒時よりも１０分〜１時間前）に比較して、就寝室２の温度を高めるように就寝室空調機５の作動を制御する。この場合、使用者の覚醒を良好にさせるのに有利となる。但し、夏季モードでは、就寝室２の温度を高めると、不快になることがあるため、キャンセルスイッチが制御部２０に設けられている。
【００２７】
別室温度検知センサ４は、使用者が睡眠している就寝室２に対して別室６の温度を検知すると共に、別室６の湿度を検知する。室外温度検知センサ３０は、外気温度の他に外気湿度を検知できる。室外温度検知センサ３０が検知した室外温度が過剰に低いときには、制御部２０は、それを考慮して就寝室空調機５の作動を制御する。例えば、冬場等、使用者が睡眠状態であるとき、外気温度が急激に低下する場合には、就寝室空調機５の作動を制御し、就寝室２における室内環境をいち早く最適温度領域にできる。
【００２８】
制御部２０は、住宅ネットワークの統括サーバ３５に接続されており、他の制御機器と連携し、就寝室２における最適温度状態および最適湿度状態を提供する。更に、制御部２０は、使用者の異常情報（心拍、呼吸、行動の異常など）が発見されると、緊急医療センター等に通報する。
【００２９】
（制御）
図４は制御部２０が実行する制御のフローチャートの一例を示す。フローチャートはこれに限定されるものではない。図４に示すように、まず、使用者が図略のスイッチを操作すると、制御が開始される。まず、住宅ネットワークまたは自宅等に設定されている統括サーバ３５内に蓄積されている過去（例えば過去１０年分）のデータから、制御部２０は、就寝室２に関する同月および同日における温度設定過去データＴ１および湿度設定過去データＨ１を読込む（ステップＳ１０２）。更に、制御部２０は、就寝室温度検知センサ３で検知した就寝室温度Ｔｃおよび就寝室湿度Ｈｃを取り込む（ステップＳ１０９）。更に、制御部２０は、室外温度検知センサ３０で検知した外気温度Ｔｏおよび外気湿度Ｈｏを読込む（ステップＳ１０６）。更に制御部２０は、別室温度検知センサ４で検知した別室温度Ｔａおよび別室湿度Ｈａを読込む（ステップＳ１０８）。
【００３０】
温度設定過去データＴ１および湿度設定過去データＨ１、就寝室温度Ｔｃおよび就寝室湿度Ｈｃ、外気温度Ｔｏおよび外気湿度Ｈｏを考慮し、制御部２０のメモリに格納されている温度マップまたは演算式に基づいて、制御部２０は、就寝室２において適する温度および湿度を、温度設定値Ｔsetおよび湿度設定値Ｈsetとして定する（ステップＳ１１０）。
【００３１】
制御部２０は、温度設定値Ｔsetおよび湿度設定値Ｈsetを就寝室空調機５に指令する（ステップＳ１１２）。具体的には、外気温度Ｔｏと就寝室温度Ｔｃの差が大きいときには、使用者の生体にかかる負荷が大きく、生体にあまり良好とはいえない。従って、夏季などのように外気温度Ｔｏが高めのときには、それに応じて温度設定値Ｔsetを高めにする。冬季等のように外気温度Ｔｏが低いときには、それに応じて温度設定値Ｔsetも低めにする。これにより外気温度Ｔｏと就寝室温度Ｔｃの差が過大になることが抑制される。同様に、外気湿度Ｈｏと就寝室湿度Ｈｃの差が過大になることが抑制される。これにより外気の状況にかかわらず、睡眠状態における生体にかかる負荷が軽減される。上記した温度設定値Ｔsetおよび湿度設定値Ｈsetに基づいて、制御部２０は就寝室空調機５の作動を制御する。これにより就寝室２の環境が睡眠状態に適するように良好となる。
【００３２】
更に制御部２０は、温度設定値Ｔsetおよび湿度設定値Ｈsetのデータを住宅ネットの統括サーバ３５に出力し、住宅ネットワークの統括サーバ３５の記憶媒体に保存させる（ステップＳ１１４）。更に制御部２０はベッド９のマットレス１０に装備されている生体情報検知センサ１から生体情報（呼吸、心拍、体重、体動）を読込む（ステップＳ１１６）。
【００３３】
生体情報検知センサ１からの生体情報に基づいて、使用者が睡眠状態に移行しているか否か判定する（ステップＳ１１８）。使用者が睡眠状態に移行していなければ、ステップＳ１０４に戻る。生体情報検知センサ１からの信号に基づいて睡眠状態に移行していると判定されると、制御部２０は、外気温度Ｔｏおよび外気湿度Ｈｏを再び読込む（ステップＳ１２０）。
【００３４】
睡眠直前に比較して、時間経過につれて就寝室２の温度を次第に低下させるように、制御部２０は、就寝室２における睡眠用の温度設定値ＴＳsetおよび湿度設定値ＨＳsetを設定する（ステップＳ１２２）。このように温度降下のパターンは複数パターンが準備されており、入眠直後における温度設定値Ｔsetに応じて適宜選択される。
【００３５】
ここで、ＳはSleepを意味する。この場合、外気温度Ｔｏおよび外気湿度Ｈｏを考慮する。具体的には、外気温度Ｔｏが高いときには、それに応じて温度設定値ＴＳsetを高めとする。外気温度Ｔｏが低いときには、それに応じて温度設定値ＴＳsetを低めとする。また、湿度についても、外気湿度Ｈｏが高いときには、湿度設定値ＨＳsetを高めとすることが好ましい。外気湿度Ｈｏが低いときには、湿度設定値ＨＳsetを低めとすることが好ましい。
【００３６】
上記した制御により外気温度Ｔｏおよび就寝室２の室内湿度Ｔｃとの差が過大になることが抑えられる。故に、生体への負荷が低減される。制御部２０は、温度設定値ＴＳsetおよび湿度設定値ＨＳsetに基づいて、就寝室空調機５に指令し、就寝室空調機５の作動を制御する（ステップＳ１２４）。温度設定値ＴＳsetは、図３に示すように、睡眠時間が長くなるにつれて次第に低下するように設定され、覚醒が近づくと、次第に上昇させるように設定されている。
【００３７】
更に使用者が睡眠状態のとき、制御部２０は生体情報センサから生体情報（呼吸、心拍、体重、体動）を読み込み（ステップＳ１３０）。制御部２０は、生体が異常であるか否かを判定する（ステップＳ１３２）。ステップＳ１３２は、生体情報検知手段で検知された生体情報に基づいて使用者の睡眠からの覚醒を検知する生体覚醒判定手段として機能することができる。
【００３８】
単位時間における呼吸および／または心拍の数が異常であれば、制御部２０は、生体が異常であると判定することができる。あるいは、呼吸および／または心拍の波形が異常であれば、制御部２０は、生体が異常であると判定することができる（ステップＳ１３２のＹＥＳ）。使用者が異常であれば、制御部２０は緊急医療センターに通報する（ステップＳ１３４）と共に、同居人に通報する。使用者が異常でなければ、制御部２０は、睡眠状態から覚醒したか否かを判定する（ステップＳ１４０）。
【００３９】
ここで、ステップＳ１４０の判定において、単位時間あたりの心拍数の変化率が心拍用の第１所定値よりも高いときには、睡眠状態が浅く、覚醒している状態（目覚め状態）であると判定できる。単位時間あたりの心拍数の変化率が心拍用の第２所定値よりも低いときには、睡眠状態が深いと判定できる。また、単位時間あたりの体動の回数が体動用の第１所定値よりも多いときには、睡眠状態が浅く、覚醒している状態（目覚め状態）であると判定できる。また、単位時間あたりの体動の回数が体動用の第２所定値よりも少ないときには、睡眠状態が深いと判定できる。上記した第１所定値および第２所定値は、試験に基づいて適宜選択できる。
【００４０】
ここで、呼吸数に関する単位時間は、例えば１分間〜６０分間の範囲内において任意に選択できる。但しこの時間に限定されるものではない。心拍数に関する単位時間は、例えば１０秒間〜３０分間の範囲内において任意に選択できる。但し単位時間はこの時間に限定されるものではない。
【００４１】
使用者が覚醒していなければ、ステップＳ１１８に戻る。ステップＳ１４０における判定の結果、使用者が睡眠状態から覚醒していれば、制御部２０は、就寝室空調機５の作動を制御し、覚醒直前に比較して、就寝室２の温度および湿度を快適にする（ステップＳ１４２）。特に就寝室２の温度を快適にすることが好ましい。この場合、冬季モード（または春秋モード）であれば、就寝室２の温度を高めるように就寝室空調機５の作動を制御する。このように就寝室２の温度を高めれば、使用者の覚醒感を良好にさせるのに有利となる。また夏季モードであれば、就寝室２の温度を低下させるように就寝室空調機５の作動を制御する。従ってステップＳ１４２は就寝室空調手段として機能できる。
【００４２】
更に使用者が睡眠状態から覚醒していれば、制御部２０は、別室温度検知センサ４の温度Ｔａおよび湿度Ｈａを読み込み、使用者が睡眠している就寝室２に対して別室６の温度および湿度を検知する（ステップＳ１４４）。別室６の温度が使用者にとって不適当であるか否か判定する（ステップＳ１４６）。不適当と判定されれば（ステップＳ１４６のＹＥＳ）、制御部２０は別室空調機７の空調作動を制御する（ステップＳ１４８）。従ってステップＳ１４８は別室空調手段として機能できることができる。具体的には、別室６の温度が低ければ、別室６の温度を上昇させる制御を行う。この場合、冬季モード、使用者が高齢者である場合に好適する。勿論、若い人にとっても、別室６の環境が快適となる。また夏季モードであれば、別室６の温度が高ければ、別室６の温度を低下させる制御を行う。なお、別室６の温度が不適当であれば、別室６の湿度を適切化させることも好ましい。別室６の環境が不適当であると判定されなければ（ステップＳ１４６のＮＯ）、制御部２０は別室空調機７の空調の作動を実施せず、メインルーチンにリターンする。
【００４３】
（実施形態２）
図６は実施形態２の概念を示す。本実施形態は実施形態１と基本的には同じ構成、同じ作用効果を有する。就寝室温度検知センサ３は、ベッド９のマットレス１０に横たわる使用者の顔面側の温度および湿度を検知するように、ベッド９のヘッドボード１１側に取り付けられている。実施形態１と同様に、就寝室温度検知センサ３は、主に夏季モードにおいて、使用者の寝苦しさの有無を検知することができる。ベッド９のマットレス１０の下方には電気式のヒータ４０が設けられている。冬季モードなどのように、寝床温度検知センサ２５で検知した寝床温度が低すぎるときには、ヒータ４０を適度に発熱させ、睡眠にとって快適な睡眠状態を作り出す。
【００４４】
（実施形態３）
図７は実施形態３のフローチャートの一部を示す。本実施形態は実施形態１と基本的には同じ構成、同じ作用効果を有する。ステップＳ１０２〜ステップＳ１２４までの操作は実施形態１の場合と同じである。本実施形態によれば、ステップＳ１４０において、睡眠状態の使用者が覚醒に近づいているか否かを判定する。
【００４５】
即ち、使用者が睡眠状態のとき、制御部２０は生体情報検知センサ１から生体情報（呼吸、心拍、体重、体動）を読込み（ステップＳ１３０）、生体が異常であるか否かを判定する（ステップＳ１３２）。
【００４６】
実施形態１の場合と同様に、単位時間における呼吸および／または心拍の数が異常であれば、呼吸および／または心拍の波形に異常があれば、制御部２０は、生体が異常であると判定する。あるいは、呼吸および／または心拍の波形が異常であれば、制御部２０は、生体が異常であると判定する（ステップＳ１３２のＹＥＳ）。使用者が異常であれば、制御部２０は緊急医療センターに通報する（ステップＳ１３４）。使用者が異常でなければ、制御部２０は、睡眠状態の使用者が覚醒に近づいているか否かを判定する（ステップＳ１４０）。
【００４７】
ここで、ステップＳ１４０において、単位時間あたりの心拍数の変化率が心拍用の第５所定値よりも高いときには、睡眠状態が浅く、使用者が覚醒に近づいている状態であると判定できる。また、単位時間あたりの体動の回数が体動用の第５所定値よりも多いときには、睡眠状態が浅く、使用者が覚醒に近づいていると判定できる。第５所定値は試験に基づいて適宜選択できる。
【００４８】
使用者が覚醒に近づいていなければ、ステップＳ１１８に戻る。ステップＳ１４０における判定の結果、使用者が覚醒に近づいていれば（ステップＳ１４０のＹＥＳ）、制御部２０は、就寝室空調機５の作動を制御する（ステップＳ１４２）。この場合、冬季モード（または春秋モード）であれば、就寝室２の温度を高めるように就寝室空調機５の作動を制御する。このように就寝室２の温度を高めれば、使用者の覚醒を良好にさせるのに有利となる。また夏季モードであれば、就寝室２の温度を低めるように就寝室空調機５の作動を制御する。
【００４９】
更に使用者が睡眠状態でありながらも、覚醒に近づいていれば、別室６の環境を快適にすべく、制御部２０は、別室温度検知センサ４の温度Ｔａおよび湿度Ｈａを読み込む（ステップＳ１４４）。別室６の温度が使用者にとって不適当であるか否か判定する（ステップＳ１４６）。別室６の温度が使用者にとって不適当であると判定されれば（ステップＳ１４６のＹＥＳ）、制御部２０は別室空調機７の空調作動を制御する（ステップＳ１４８）。具体的には、別室６の温度が低ければ、別室６の温度を上昇させる制御を行う。この場合、使用者が高齢者である場合に適する。勿論、若い人にとっても、別室６が快適となる。また、別室６の温度が高ければ、別室６の温度を低下させる制御を行う。不適当と判定されなければ（ステップＳ１４６のＮＯ）、制御部２０は別室空調機７の空調の作動を実施せず、メインルーチンにリターンする。
【００５０】
（その他）なお、就寝室と別室（例えばトイレ、台所、リビングルーム、ダイニングルーム）との温度差だけではなく、就寝室と別室との照度差に応じて室内制御を行っても良い。すなわち、使用者の覚醒が判定されて就寝室の照明が点灯され、且つ、使用者が別室に赴く場合には、別室の性格に応じて、別室照明手段を作動させても良い。具体的には、使用者、例えば、血圧が低い使用者が就寝室において覚醒し、夜中に就寝室からトイレ（別室）にいく場合には、トイレの明るさを薄暗い照度に調整することができる。更に、使用者がトイレから台所に向かう場合には、台所の照度をトイレの照度よりも明るくするような制御を行うことができる。
【００５１】
本発明は上記した実施形態のみに限定されるものではなく、要旨を逸脱しない範囲内で適宜変更して実施できる。上記した記載から次の技術的思想も把握できる。
【００５２】
［付記項１］就寝室で睡眠している使用者から発生する生体情報を検知する生体情報検知手段と、前記生体情報検知手段で検知された前記生体情報に基づいて使用者の睡眠からの覚醒を検知する生体覚醒判定手段と、睡眠している前記就寝室の温度を検知する就寝室温度検知手段と、前記使用者が睡眠している前記就寝室に対して別室の温度、湿度、照明の少なくとも一つの環境条件を検知する別室環境検知手段と、前記別室の環境を調整する別室環境調整手段と、前記生体覚醒判定手段により前記使用者の覚醒が判定され、且つ、前記別室の環境条件と所定環境条件とのずれが大きいとき、前記別室環境調整手段を作動させて前記ずれを小さくさせる方向に前記別室の環境条件を設定させる別室環境設定手段とを具備することを特徴とする室内空調システム。
【００５３】
［付記項２］就寝室で睡眠している使用者から発生する生体情報を検知する生体情報検知手段と、前記生体情報検知手段で検知された前記生体情報に基づいて使用者の睡眠からの覚醒を検知する生体覚醒判定手段と、使用者が睡眠している前記就寝室の環境状態を検知する就寝室環境状態検知手段と、前記使用者が睡眠している前記就寝室に対して別室の環境状態（照度）を検知する別室環境状態検知手段（別室照度検知手段）と、前記別室を環境状態（照度）を調整する別室環境調整手段（別室照度調整手段）と、前記生体覚醒判定手段により前記使用者の覚醒が判定され、且つ、前記別室の環境状態（照度）が所定状態（所定照度）と乖離しているとき、前記別室環境調整手段（別室照度調整手段）を作動させる別室環境制御手段（別室照度制御手段）とを具備することを特徴とする室内空調システム。
【図面の簡単な説明】
【００５４】
【図１】実施形態１に係り、室内空調システムのシステム図である。
【図２】実施形態１に係り、生体情報センサが装備されているベッドに使用者が睡眠している状態を示す構成図である。
【図３】実施形態１に係り、睡眠状態における時間と就寝室の温度との関係を示すグラフである。
【図４】実施形態１に係り、室内空調システムの制御部が実行するフローチャートである。
【図５】実施形態１に係り、室内空調システムの制御部が実行するフローチャートである。
【図６】実施形態２に係り、室内空調システムのシステム図である。
【図７】実施形態３に係り、室内空調システムの制御部が実行するフローチャートである。
【符号の説明】
【００５５】
１は生体情報検知センサ（生体情報検知手段）、２は就寝室、３は就寝室温度センサ（就寝室温度検知手段）、４は別室温度センサ（別室温度検知手段）、５は就寝室空調機、６は別室、７は別室空調機、９はベッド、２０は制御部、３０は室外温度検知センサ（室外温度検知手段）を示す。
【図１】
0005268405.tif 000002
【図２】
0005268405.tif 000003
【図３】
0005268405.tif 000004
【図４】
0005268405.tif 000005
【図５】
0005268405.tif 000006
【図６】
0005268405.tif 000007
【図７】
0005268405.tif 000008